(57)【要約】      （修正有）【課題】ヘアカラー等の毛染めなどを行う際に、安定した状態で後ろ首筋、うなじ、耳を覆い、また耳全体を柔らかく、完全に覆うことができ、しかも染毛後にはヘアキャップとして使用することのできる毛染め用ターバンケープを提供する。【解決手段】毛染め用ターバンケープ１は、頭部の周囲に装着される環状の第一伸縮部２と、該第一伸縮部２に沿ってその下方に間隔をあけて設けられ、第一伸縮部からの間隔が耳を覆う部分においては他の部分の間隔に比べ大きくされた環状の第二伸縮部３とを備える。さらに、該第二伸縮部から下方に分かれて延びるシート材４と、該シート材の側部両端部に設けられた２つの第一の留め具５、６と、この留め具を留め、顔に懸かるシート材を顔の前面から開放するために設けられた第二の留め具７、８と、下部袋状部１０とこの下部袋状部に挿通された引縛り紐１１から構成されている。【選択図】図１
0003177441.tif 000002
【実用新案登録請求の範囲】
【請求項１】
頭部の周囲に装着される環状の第一伸縮部と、該第一伸縮部に沿ってその下方に間隔をあけて設けられ、第一伸縮部からの間隔が耳を覆う部分においては他の部分の間隔に比べ大きくされた環状の第二伸縮部と、該第二伸縮部から下方に分かれて延びるシート材と、該シート材の両側端部に設けられた２つの第一の留め具と、この第一の留め具を留め、顔に懸かるシート材を顔の前面から開放するために設けられる２つの第二の留め具からなる毛染め用ターバンケープ。
【請求項２】
前記第一伸縮部及び前記第二伸縮部が、帯状に設けられた袋状部へのゴム紐又は平ゴムの挿通、固定によるか、糸ゴム又は平ゴムの縫いつけによるシャーリングにより形成されたものであることを特徴とする請求項１に記載の毛染め用ターバンケープ。
【請求項３】
前記袋状部の形成が、シート材の折り返し部又はバイアス布との縫合によることを特徴とする請求項２に記載の毛染め用ターバンケープ。
【請求項４】
前記第一伸縮部の内径が前記第二伸縮部の内径と同じ大きさであることを特徴とする請求項１〜３のいずれか１項に記載の毛染め用ターバンケープ。
【請求項５】
前記第一の留め具がボタンホールであり、第二の留め具がボタンであるか、前記第一及び第二留め具が面ファスナーあるいはスナップであることを特徴とする請求項１〜４のいずれか１項に記載の毛染め用ターバンケープ。
【請求項６】
前記第二伸縮部から下方に延びるシート材に、シート材を頭部上方に挙げた時に該シート材を頭上に留めるための留め部材が設けられていることを特徴とする請求項１〜５のいずれか１項に記載の毛染め用ターバンケープ。
【請求項７】
前記シート材を頭上に留める留め部材が、シート材の下端に沿って設けられた袋状部に挿通された紐であることを特徴とする請求項１〜６のいずれか１項に記載の毛染め用ターバンケープ。
【考案の詳細な説明】
【技術分野】
【０００１】
本考案は、毛染めを行った後そのままヘアキャップとしても使用することができる毛染め用ターバンケープに関する。
【背景技術】
【０００２】
従来、毛染めや毛の脱色などを行う際に、毛染め液や脱色剤などが首筋や耳、さらには衣服などに付着する恐れがある。首筋や耳などに毛染め液が付着すると肌の汚れや場合によってはかぶれ等をも引き起こす。脱色剤などを使用する際にも皮膚のかぶれが起こることがある。このようなことから、一般家庭で毛染めや毛の脱色を行う際には、タオルを肩にかけるとか、さらには衣服を覆うケープや衣服及び首筋、耳、更に必要に応じ額などを覆うケープやターバンケープが種々提案され、商品化もされている。現在商品化されているものの中では、ケープ、耳キャップ、ヘアキャップなど個別の商品が主流で、毛染めの際一番解決したい死角になる部分をカバーでき、また１つの製品でこれらの機能を有する、利便性に富んだ製品が手近にないのが現状である。また、最近では、毎日使用することで、徐々に染められるカラートリートメント剤も出回っており、トリートメント回数も増え、安価な商品を求める要望も大きいものがある。
【０００３】
このような状況のなか、毛染めを行った後そのままヘアキャップとしても用いることができる毛染め用カバー（ターバンケープ）が提案されている（特許文献１参照）。この毛染め用カバー３１は、例えば、図１０に示されるように、袋状の左右両端部を有する上辺３２を水平状とし下辺３３を斜辺状とした筒状シートからなり、上辺の周囲に締め付け用ゴム紐３６を通し、短辺とした左端部３４を前方として斜辺部分から頭部を挿入して被るもので、長辺とした右端部３５を後方として毛髪の後方から肩部へ垂らして使用する。図１１に示されるように、ゴム紐入りの上辺２を使用者の額上方、耳上部、うなじ、後ろ首筋の髪の生え際に沿わせて絞り込むと、前方左端部３４及び斜め状下辺３３の前方部分が庇状に上方へ反り返り、右端部３５は後方へ開いて後頭部及び首部、肩部を覆うケープの役割を果たすものである。額の上方において毛染め用液剤の流れ込みを確実に防止し顔面を液剤の付着から保護するために、前方左端部３４の近辺に上方へ折り曲げ固定するための止め具３７、３８を設けて折り曲げ固定する。図は示されていないが、毛染め用液剤を染毛部分に塗布した後には、液剤を毛髪になじむように浸透させるため、下辺３３の斜辺部分から後方右端部３５部分をまとめて頭上で止め具３９，４０により止着させ、保温状態を保つものである。
【０００４】
図１０に示される毛染め用カバーは、安価に製造できるものの、ゴム紐１本で頭部の締め付けを行うため、安定性よく毛染め用カバーを装着することが難しいという問題があるし、耳部がカバーにより直接覆われていないことから、毛染めの際に誤って耳部に染毛剤などが付着する虞があり、さらなる改善が要望される。
【０００５】
また、耳袋付ヘアキャップも提案されている（特許文献２参照）が、耳袋を作成し取り付ける方法は、作業工程が煩雑であり、コスト的にも問題がある。
【０００６】
このように、毛染めなどの際に使用するヘアキャップ兼用のターバンケープにおいて耳部を覆う工夫がなされているものもあるが、簡単な構造で、しっかりと安定した状態で後ろ首筋、うなじ、耳を覆い、また耳全体を柔らかく、確実且つ完全に覆うことができ、しかも染毛などの際に耳カバー部がはずれる虞がないターバンケープは提供されていないのが現状である。
【先行技術文献】
【特許文献】
【０００７】
【特許文献１】特開２００２−１７４２８号公報
【特許文献２】実用新案登録第３０８１０４４号公報
【考案の概要】
【考案が解決しようとする課題】
【０００８】
本考案は、このような事情に鑑みなされたものであり、簡単な構造であり、したがって製造も簡単であるにもかかわらず、ヘアカラー等の毛染めやヘアマニキュア、毛の脱色などを行う際に、しっかりと安定した状態で後ろ首筋、うなじ、耳を覆い、また耳全体を柔らかく、確実且つ完全に覆うことができ、しかも染毛後にはヘアキャップとして使用することのできる毛染め用ターバンケープを提供することである。
【課題を解決するための手段】
【０００９】
本考案は、頭部の周囲に装着される環状の第一伸縮部と、該第一伸縮部２に沿ってその下方に間隔をあけて設けられ、第一伸縮部からの間隔が耳を覆う部分においては他の部分の間隔に比べ大きくされた環状の第二伸縮部３と、該第二伸縮部から下方に分かれて延びるシート材４と、該シート材の側方端部に設けられた第一の留め具５、６と、この留め具を留め、顔に懸かるシート材を顔の前面から開放するために設けられた第二の留め具７、８からなる毛染め用ターバンケープに関するものである。
【００１０】
上記毛染め用ターバンケープの実施態様として、次のようなものが挙げられる。
（１）上記毛染め用ターバンケープにおいて、第一伸縮部及び第二伸縮部は、夫々、帯状に設けられた袋状部へのゴム紐又は平ゴムの挿通、固定によるか、糸ゴム又は平ゴムの縫いつけによるシャーリングにより形成されることが好ましい。
【００１１】
（２）前記袋状部は、シート材の折り返し部又はバイアス布との縫合によることが好ましい。
【００１２】
（３）前記第一伸縮部２の内径が前記第二伸縮部３の内径と同じ大きさであることが好ましい。
【００１３】
（４）前記第一の留め具５、６がボタンホールであり、第二の留め具７、８がボタンであるか、前記第一及び第二の留め具が面ファスナーあるいはスナップであることが好ましい。
【００１４】
（５）前記第二伸縮部３から下方に延びるシート材４に、シート材を頭部上方に挙げた時に該シート材を頭上に留めるための留め部材が設けられていることが好ましい。
【００１５】
（６）前記シート材４を頭上に留める留め部材が、シート材の下端縁に沿って設けられた袋状部１０に挿通された紐１１であることが好ましい。
【００１６】
（７）前記シート材４は長方形であることが好ましい。
【考案の効果】
【００１７】
本考案の毛染め用ターバンケープは、上記のごとき構成を採ることにより、次のような優れた効果を奏する。
（ｉ）本考案の毛染め用ターバンケープは、基本的には１枚の長方形のシート材を用いることにより、簡単な工程で製造することができることから、材料、加工などの生産コストを低く抑えることができる。
（ii）近年、化粧、シャワーバスタイムリラックス時に、ターバン形態の製品の使用頻度が高く、ターバン形態の製品は家庭において一般的に使い慣れていることから、本考案の毛染め用ターバンケープについても、使用する際に簡単に取り扱うことができる。
（iii）本考案の毛染め用ターバンケープは、ゴムの挿入あるいはゴムシャーリングにより、頭部に２本の伸縮性締め付け線が形成されていることから、髪の生え際にしっかり固定でき、さらに２本の伸縮性締め付け線を一部広く広げて形成してあることで、この部分が膨らんだ耳カバー部となり、耳を上と下から挟み込み、しっかり耳をカバーできるとともに、ずれも生じない。
（iv）本考案の毛染め用ターバンケープは、額の左右に止め具が設けられていることにより、毛染め時の視野の確保ができる。
（ｖ）本考案の毛染め用ターバンケープは、毛染剤を塗布後、シート材を上げることにより髪を簡単に且つしっかりと包み込むことができ、この状態でシート材を固定することができるので、毛染めの養生をしながら浴槽に入ることや、シャワーをすることも可能である。このときも耳を覆うカバーはずれることなく安心感が得られる。
【図面の簡単な説明】
【００１８】
【図１】図１は、本考案の一実施例に係る毛染め用ターバンケープの斜視図である。
【図２】図２は、図１の毛染め用ターバンケープのシート材の展開図（裏側）である。
【図３】図３は、図１の毛染め用ターバンケープのシート材の展開図（表側）である。
【図４】図４は、図１の毛染め用ターバンケープを装着した際の正面図（ａ）及び側面図（ｂ）である。
【図５】図５は、本考案の他の実施例に係る毛染め用ターバンケープのシート材の展開図（内側）である。
【図６】図６は、本考案の更に他の実施例に係る毛染め用ターバンケープのシート材の展開図（裏側）である。
【図７】図７は、本考案の更に他の実施例に係る毛染め用ターバンケープのシート材の展開図（裏側）である。
【図８】図８は、図７の毛染め用ターバンケープのシート材の表側展開図である。
【図９】図９は、シート材下部の裾野部分の紐通し部を示す図である。
【図１０】図１０は、従来の毛染め用カバーの平面図である。
【図１１】図１１は、図１０の毛染め用カバーの装着図である。
【考案を実施するための形態】
【００１９】
以下に、本考案の毛染め用ターバンケープを、図に示される実施例に基づいて詳細に説明する。なお、各図面は説明のためのものであり、必ずしも実際の形状、寸法を正確に反映するものではないし、また本考案の毛染め用ターバンケープが図に示されるものに限定されるものでもない。
【００２０】
図１は、本考案の第一実施例に係る毛染め用ターバンケープの斜視図である。図１において、毛染め用ターバンケープ１は、頭部の周囲に装着される環状の第一伸縮部２と、該第一伸縮部２に沿ってその下方に間隔をあけて設けられた環状の第二伸縮部３と、該第二伸縮部３から下方に分かれて延びるシート材４と、該シート材４の両側端縁部ほぼ中央に設けられた２つのボタンホール５、６からなる第一の留め具と、このボタンホール５、６に係合するように、第一伸縮部と第二伸縮部の間に設けられたボタン７、８からなる第二の留め具７、８と、シート材４の下端部に沿って形成された袋状部１０に挿通された紐１１からなっている。前記第一伸縮部２は、シート材４の上端を折り返して縫合することによりシート材４の上端に沿って形成された袋状部にゴム紐を挿通することにより形成されたものであり、前記第二伸縮部３は、帯状のバイアス布を、耳部を覆う部分の第一伸縮部からの間隔が他の部分の間隔に比べ大きくされ、第一伸縮部に沿って縫合することにより形成されたものである。また、ボタンホール６の脇には、シート材をキャップとして用いる際に、シート材の短辺部（側端部）を係合させるために用いられるボタン９が付けられている。なお、第一の留め具と第二の留め具を係合させることにより、顔に懸かるシート材を顔の前面から開放することができる。
【００２１】
上記第一実施例に係る毛染め用ターバンケープ１の製造を、図２及び図３を参照しつつ説明する。
【００２２】
図２は、図１の毛染め用ターバンケープの第一伸縮部及び第二伸縮部にゴム紐が通されていない状態のシート材の展開図（裏側）であり、図３は図２のシート材を裏返した状態（表側）を示している。図２においては、毛染め用ターバンケープ１のシート材４は、長方形をしており、該長方形のシート材の長手方向上端部は折り返され、折り返された端は上端部に沿ってミシンで縫合されて、第一袋状部１２が形成されている。また、第一袋状部の下側シート材上に、帯状のバイアステープを当て、且つ耳カバー部１５、１６に該当する部分は第一袋状部からの距離が大きくなり、山形とされた状態で、また他の部分は第一袋状部に平行とされてミシンにより縫合されて、第二袋状部１３が形成されている。２つの耳カバー部１５、１６の間は、毛染め用ターバンケープの後ろ首筋及びうなじに沿う部分、すなわち首当部１４であり、耳カバー部の外側部分は額当部１７、１８である。また、シート材４の下端部も折り返され、ミシンにより縫合され下部袋状部１９とされる。さらに、長方形のシート材の側部短辺部中央付近には、ボタンホール５、６が形成される。さらに、図３に示されるように、第一伸縮部と第二伸縮部との間で、且つ耳カバー部１５、１６と額当部１７、１８の境界付近に、２個のボタン７、８が取り付けられ、またボタンホール６に隣接して、３個目のボタン９が取り付けられている。
【００２３】
前記第一袋状部１１及び第二袋状部の各々の端からゴム紐又は平ゴムを挿通し、その挿通されたゴム紐又は平ゴムの先端部は、第一伸縮部の一端部２０及び第二伸縮部の一端部２１に縫い留められ、固定される。一方、このゴム紐又は平ゴムの他端部は、第一伸縮部及び第二伸縮部の長さに相当する長さで、第一伸縮部の他端部２２及び第二伸縮部の他端部２３に縫い留められ、固定される。さらに、下部袋状部１０（１９）には、紐１１が通される。その後、このゴム紐の固定されたシート材の両短辺部を重ね、第一伸縮部から第二伸縮部までを縫い合わせ（Ｎ）、リング状として、図１に示される毛染め用ターバンケープ１が得られる。
【００２４】
シート材４は、柔軟性があり、染毛剤などがケープ本体に付着した際に、これが浸みこんで衣服あるいは皮膚にまで到達することがないような材料が好ましく、このような材料としては、例えば布帛や柔軟性を有するプラスチックシート等が挙げられる。ケープ本体は、非透水性であることが好ましいことから、布帛を用いる際には、必要に応じ布帛に防水処理を施したもの、例えば表面に薄い樹脂層が形成されたものや、撥水処理剤で表面が処理されたものなどが適宜用いられる。プラスチックシートはいわゆるフィルム状の薄いものであればよく、異なる種類の材質を積層したものでもよい。シート材は、透明であっても不透明であってもよい。プラスチックとしては、前記要件を満たすものであればどのようなものであってもよく、例えば、ポリエチレン、ポリプロピレン、塩化ビニル樹脂等があげられる。また、布帛としては、織布、不織布等が使用できる。
【００２５】
また、図１の毛染め用ターバンケープ１においては、毛染め用ターバンケープ１を装着した際に、顔が解放されるよう、ボタンとボタンホールが設けられているが、ボタンホールに代えて、平ゴムで形成されたボタン掛止用ループが用いられてもよいし、ボタンとボタンホールに替えて、スナップボタンやホック、面ファスナーが用いられてもよい。また、ボタンホール６の脇には、シート材をキャップとして用いる際に、シート材の短辺部を係合させるために用いられるボタン９が付けられている。ボタンとボタンホールの組み合わせに替えて、係合部材としてスナップボタンやホック、面ファスナーが用いられてもよい。この場合には、スナップボタンやホック、面ファスナーの取り付けの際に、シート材の短辺部がこれら短辺部に設けられた係合部材同士で、係合が起こるような組み合わせとされることが必要である。また、両短辺部を重ね合わせた状態で保持できるように、別途係合部材を設けてもよい。
【００２６】
図２のシート材４の大きさは、これに限定されるものではないが、例えば、首当部１４は約３０ｃｍ、耳カバー部１５、１６は各約２０ｃｍ、額当部１７、１８は各約１５ｃｍ程度とされればよい。なお、毛染め用ターバンケープ１の第一伸縮部及び第二伸縮部の長さは、一周の長さで約３０ｃｍ程度とされればよい。また、シート材の短辺の長さは、特にこれに限定されるものではないが、一例として４０ｃｍ程度とされればよい。
【００２７】
図４（ａ）の正面図及び図４（ｂ）の側面図に示されるように、毛染め用ターバンケープ１は、第一、第二伸縮部の縫い合わせ部Ｎが前となるようにして、第一、第二伸縮部の環を通して頭部を挿入し、第一伸縮部の首当部、耳カバー部、額当部が各々、後ろ首筋及びうなじの髪の生え際、耳上部、額の生え際に沿うように配置する。その後、ボタンホール５、６をボタン７、８にはめこみ、顔の前面が解放されるようにする。この状態で、毛染剤を髪に塗布する。図示していないが、塗布が終了した後、ボタン７、８をボタンホールから外し、ボタン９をボタンホール５に嵌め、その後第一、第二伸縮部はそのままの状態でシート材４を頭上に持ち上げ、紐をひいて環をすぼめて、キャップ状とされる。ボタン９をボタンホール５に嵌めるのは、シート材を頭上に持ち上げた後でもよい。なお、下部袋状部を設けることなく、シート材を頭上に持ち上げた後、紐、ゴムなどで留めるようにしてもよいし、シート材に両面接着テープあるいは面ファスナーを取り付けておき、これにより頭上でシート材をキャップ状に固定するようにしてもよい。
【００２８】
図５、図６に、図２の第一袋状部及び第二袋状部を別の方法で形成する例を示す。図２のシート材においては、の第一袋状部はシート材の長辺を折り返し、ミシン縫いすることにより、また第二袋状部はバイアステープをミシン縫いすることにより形成されたが、図５の例では、第一袋状部及び第二袋状部を覆うような形状をした１枚の織布又は不織布からなるバイアス布２４を用いることにより形成される。すなわち、この耳カバー部の凸部ふくらみ部を有する織布又は不織布２４はシート材４と重ね合わされ、ミシン縫いされて、図２と同様の第一袋状部及び第二袋状部が形成される。このとき、うす手の不織布を用いると、肌触りのよい毛染め用ターバンケープが得られる。
【００２９】
また、図５に示すような別の織布あるいは不織布を用いるのではなく、図６に示されるように、折り返し線２５に沿って折り返した際に図５の織布又は不織布２４と同様の形状のシート部が形成されるように、予めシート材の形状を設定しておき、折り返し線に沿って折り返した後、ミシン縫いにより、図２と同様の第一袋状部及び第二袋状部を形成してもよい。これら、図５、６のシート材や合わせ布を用いることにより、より簡単な工程で第一袋状部及び第二袋状部を形成することができる。
【００３０】
さらに、図７、８に、留め具をボタンとボタンホールの組み合わせではなく、面ファスナーとした例を示す。例えば、面ファスナー２７、２８は凸（又は凹）ファスナーに、面ファスナー２６、２９は凹（又は凸）ファスナーとされて、互いの係合が図られる。また、面ファスナー２９はシート材４の表裏に亘り折り返して取り付けられており、面ファスナー２８との係合にも利用される。
【００３１】
図９には、シート材４の下部の裾野部分に設けられた紐通し部の拡大図である。引縛り紐１１は、シート材の下端縁に沿って設けられた袋状部に挿通されている。
【００３２】
これまで、第一伸縮部及び第二伸縮部を、袋状部にゴム紐又は平ゴムを挿通することにより形成する方法を示したが、袋縫いを行うのではなく、ゴム紐や平ゴムを縫い付けることによるシャーリングを形成することにより、第一伸縮部及び第二伸縮部を形成することもできる。この方法によれば、第一伸縮部及び第二伸縮部をさらに簡単に形成することが可能となる。
【符号の説明】
【００３３】
１    毛染め用ターバンケープ
２    第一伸縮部
３    第二伸縮部
４    シート材
５、６    ボタンホール
７、８、９    ボタン
１０    袋状部
１１    引縛り紐
１２    第一袋状部
１３    第二袋状部
１４    首当部
１５、１６    耳カバー部
１７、１８    額当部
１９    下部袋状部
２０    第一伸縮部の一端部
２１    第二伸縮部の一端部
２２    第一伸縮部の他端部
２３    第二伸縮部の他端部
２４    バイアス布
２５    折り返し線
２６、２７、２８，２９    面ファスナー
３１    毛染め用カバー
３２    上辺
３３    下辺
３４    左端部
３５    右端部
３６    ゴム紐
３７、３８    止め具
３９、４０    止め具
Ｎ    縫い合わせ部
【図１】
0003177441.tif 000003
【図２】
0003177441.tif 000004
【図３】
0003177441.tif 000005
【図４】
0003177441.tif 000006
【図５】
0003177441.tif 000007
【図６】
0003177441.tif 000008
【図７】
0003177441.tif 000009
【図８】
0003177441.tif 000010
【図９】
0003177441.tif 000011
【図１０】
0003177441.tif 000012
【図１１】
0003177441.tif 000013